(57)【特許請求の範囲】
【請求項１】
素材の編集を行うノンリニア編集機と、
前記素材を保存する素材サーバと、
前記素材サーバを制御する機能を含むアプリケーションサーバと、を含み、
前記ノンリニア編集機と前記素材サーバは、第１のフォルダと第２のフォルダを有するＳＡＮ（Ｓｔｏｒａｇｅ  Ａｒｅａ  Ｎｅｔｗｏｒｋ）を構築し、
前記ノンリニア編集機と前記素材サーバと前記アプリケーションサーバはＬＡＮ（Ｌｏｃａｌ  Ａｒｅａ  Ｎｅｔｗｏｒｋ）を構築し、
前記ノンリニア編集機は、編集が完了する都度、順次前記ＳＡＮを用いて前記第１のフォルダに編集済み素材を出力する手段と、プレイリスト取得手段と、前記ＬＡＮを用いて、前記プレイリストのうち少なくとも識別情報とファイル名とを含む情報を前記アプリケーションサーバに出力する手段と、を含み、
前記アプリケーションサーバは、前記編集済み素材を前記第２のフォルダに移動するコマンドと前記識別情報と前記ファイル名をリネームするコマンドを前記素材サーバに対して出力する手段と、を含み、
前記素材サーバは、前記コマンドに応じて前記編集済み素材を前記第２のフォルダに移動する手段と前記識別情報と前記ファイル名をリネームする手段と、
を含むことを特徴とするノンリニアサーバシステム。
【請求項２】
前記アプリケーションサーバは、前記素材サーバに対して、ステータス確認のコマンドを一定間隔で送信する手段と、
前記ファイル名をリネームする処理が正常に完了したことを確認したタイミングで、前記素材サーバに対して、前記指定された素材のサムネイル及びメタデータを取得する旨のコマンドを送信し、前記サムネイル及び前記メタデータを取得する手段と、
前記サムネイル及び前記メタデータを表示する手段と、
を更に具備する請求項１に記載のノンリニアサーバシステム。
【請求項３】
請求項１又は請求項２に記載のノンリニアサーバシステムで、いずれかの機器として使用される計算機。
【請求項４】
ノンリニア編集機により素材を編集するステップと、
ＳＡＮ（Ｓｔｏｒａｇｅ  Ａｒｅａ  Ｎｅｔｗｏｒｋ）を用いて編集が完了する都度、順次編集済み素材をＳＡＮ内の第１のフォルダに出力するステップと、
プレイリストを取得するステップと、
ＬＡＮを用いて前記プレイリストのうち少なくとも識別情報とファイル名とを含む情報をアプリケーションサーバに出力するステップと、
前記アプリケーションサーバにより前記編集済み素材をＳＡＮ内の第２のフォルダに移動するコマンドと前記識別情報と前記ファイル名をリネームするコマンドを素材サーバに対して出力するステップと、
前記素材サーバは、前記コマンドに応じて前記編集済み素材を前記第２のフォルダに移動するステップと前記識別情報と前記ファイル名をリネームするステップと、
を含むことを特徴とする素材管理・受け渡し方法。
【請求項５】
前記アプリケーションサーバにより、前記素材サーバに対して、ステータス確認のコマンドを一定間隔で送信するステップと、
前記ファイル名をリネームする処理が正常に完了したことを確認したタイミングで、前記素材サーバに対して、前記指定された素材のサムネイル及びメタデータを取得する旨のコマンドを送信し、前記サムネイル及び前記メタデータを取得するステップと、
前記サムネイル及び前記メタデータを表示するステップと、
を更に含む請求項４に記載の素材管理・受け渡し方法。
【請求項６】
請求項４又は請求項５に記載の素材管理・受け渡し方法を、いずれかの機器として使用される計算機に実行させるための素材管理・受け渡し用プログラム。
【発明の詳細な説明】
【技術分野】
【０００１】
本発明は、ノンリニアサーバシステムに関し、特に番組送出用の素材の管理や受け渡しを行うノンリニアサーバシステムに関する。
【背景技術】
【０００２】
現在、番組制作送出システムにおいて、番組送出用に編集した素材（番組で流す映像等のデータ）をノンリニア編集機（Ｎｏｎ−ｌｉｎｅａｒ  ｅｄｉｔｉｎｇ  ｆａｃｉｌｉｔｙ）から送出サーバに転送する時には、ＬＡＮ（Ｌｏｃａｌ  Ａｒｅａ  Ｎｅｔｗｏｒｋ）経由でのＦＴＰ（Ｆｉｌｅ  Ｔｒａｎｓｆｅｒ  Ｐｒｏｔｏｃｏｌ）転送を行う方式がメイン（主流）である。なお、現在、特殊な用途を除いて、ほとんどのＬＡＮはイーサネット（登録商標）である。
【０００３】
上記の方式では、ノンリニア編集機上で素材を特定のフォーマットで出力する処理とＦＴＰで素材をファイル転送する処理の両方を実行するため、処理に時間がかかり、完了するまでノンリニア編集機が操作できず、次の編集業務が開始できないため、ノンリニア編集機上で編集をできる時間が思うように取れないという問題がある。
【０００４】
また、ＬＡＮ経由でのＦＴＰ転送を行うため、ネットワークのスペック（ｓｐｅｃｉｆｉｃａｔｉｏｎ：仕様・性能）に依存することが多く、メインで使用されている１Ｇｂｐｓ（Ｇｉｇａｂｉｔ  ｐｅｒ  ｓｅｃｏｎｄ：ギガビット毎秒）のＬＡＮでは、複数のノンリニア編集機からのファイル転送があったときに負荷が大きくなり、ファイル転送処理に時間がかかるという問題がある。
【０００５】
更に、ＦＴＰでのファイル転送を同時に行うことができるセッション数については、通常では送出サーバ側で接続できるセッション数に制限値があり、ネットワークをＬＡＮの１０Ｇｂｐｓにしても送出サーバ自体のスペックが低い場合、制限値の問題があるため、機器の選択次第ではネットワークのスペックを十分に活用できないという問題がある。
【０００６】
運用方法の問題点としては、編集者が編集するときに従来のノンリニア編集機からファイル転送する方式を使用する場合、ファイル転送する時に素材の名称を、素材管理システムに沿ったＩＤ（ｉｄｅｎｔｉｆｉｃａｔｉｏｎ：識別情報）・名称にする必要があるため、編集または転送時に任意の名称にするという操作が必要であり、ＯＡ（Ｏｎ  ｔｈｅ  Ａｉｒ：オンエア）用の番組のプレイリストが完成するまで素材用のＩＤが決まらず、編集が完了した時点で素材をノンリニア編集機から出力できないという問題がある。
【０００７】
また、プレイリスト完成後に一斉に複数のノンリニア編集機からファイル転送が実行されることが多く、ネットワーク、送出サーバの負荷がＯＡ前に集中して高くなり、特にニュース番組ではＯＡまでに素材の準備ができない場合があるというという問題がある。
【０００８】
なお、関連する技術として、特許文献１（特開２００８−０５９０９６号公報）に番組制作支援装置及び番組制作方法が開示されている。この関連技術では、テレビジョン放送局内のニュース番組制作システムは、番組制作支援システムと、ビデオサーバーシステムとを含んでいる。番組制作支援システムは、それぞれコンピュータ（パーソナルコンピュータ、或いはワークステーション）から成る取材管理端末、取材情報取り込み端末、ダミー番組制作端末及び番組制作端末が設けられており、それらの端末が互いにイーサネット（登録商標）のようなネットワークで接続されている。ビデオサーバーシステムでは、素材サーバー（素材の保存用のビデオサーバー）と、コンピュータから成り素材サーバーを制御する制御端末と、ノンリニア編集機と、送出サーバー（オンエア素材の送出用のビデオサーバー）と、コンピュータから成る送出管理用の管理端末とが、ギガ・イーサネット（登録商標）のような高速なネットワークで接続されている。素材サーバーには、取材を実行することによって得られた映像素材が、その映像素材を録画したＶＴＲ（Ｖｉｄｅｏ  Ｔａｐｅ  Ｒｅｃｏｒｄｅｒ）から直接入力されたり、ノンリニア編集機やリニア編集機で編集された後入力される。しかし、特許文献１には、ビデオサーバへの映像素材を入力するワークフローの中で、ノンリニア編集機から送出サーバに送る方法について、具体的な記載がない。
【０００９】
また、特許文献２（特開２００６−３０２０５２号公報）にストレージ（Ｓｔｏｒａｇｅ）システム、及びデジタル放送システムが開示されている。この関連技術では、ストレージシステムをデジタル放送システムの編集ストレージ及び管理ストレージに用いた構成が示されている。
【００１０】
また、特許文献３（特開平１０−２７６１６０号公報）に番組制作送出装置が開示されている。この関連技術では、番組制作送出装置は、報道部ＨＢ内においては、主にニュース番組を制作するためのニュース素材の発注や取材予定に関する管理を行うニュース番組制作支援部と、ニュース素材を作成管理するためのニュース素材作成管理部と、オンエア時、制作された番組をマスタ室へ送出するための送出機器制御部から構成されている。これらニュース番組制作支援部と、ニュース素材作成管理部と、送出機器制御部と、ニュース番組制作及び番組送出のために入力されるデータを保存するためのＤＢ（Ｄａｔａｂａｓｅ）サーバとが、ＬＡＮによって互いに接続されている。報道部ＨＢ外においては、報道部ＨＢから離れた支社、支局及び記者クラブ等の支社／支局／クラブ端末から構成されている。報道部ＨＢ内と外は、専用回線又は公衆回線を介して互いに接続されている。
【先行技術文献】
【特許文献】
【００１１】
【特許文献１】特開２００８−０５９０９６号公報
【特許文献２】特開２００６−３０２０５２号公報
【特許文献３】特開平１０−２７６１６０号公報
【発明の概要】
【発明が解決しようとする課題】
【００１２】
本発明の目的は、ノンリニア編集機と送出サーバの素材の受け渡しをＳＡＮ（Ｓｔｏｒａｇｅ  Ａｒｅａ  Ｎｅｔｗｏｒｋ）で行う素材管理システムを提供することにある。
【課題を解決するための手段】
【００１３】
本発明のノンリニアサーバシステムは、番組送出用の素材の編集を行うノンリニア編集機と、素材を外部に送出する送出サーバと、素材を保存する素材サーバとを含む。ノンリニア編集機、送出サーバ、及び素材サーバは、ＳＡＮ（Ｓｔｏｒａｇｅ  Ａｒｅａ  Ｎｅｔｗｏｒｋ）を構築する。ノンリニア編集機、送出サーバ、及び素材サーバの各々は、ローカルディスクと同様に扱えるＳＡＮの共有ディスク内で素材の受け渡しを行う。
【００１４】
本発明の素材管理・受け渡し方法では、ノンリニア編集機、送出サーバ、及び素材サーバで、ＳＡＮ（Ｓｔｏｒａｇｅ  Ａｒｅａ  Ｎｅｔｗｏｒｋ）を構築する。また、ノンリニア編集機により、番組送出用の素材の編集を行う。また、送出サーバにより、素材を外部に送出する。また、素材サーバにより、素材を保存する。また、ノンリニア編集機、送出サーバ、及び素材サーバの各々が、ローカルディスクと同様に扱えるＳＡＮの共有ディスク内で素材の受け渡しを行う。
【００１５】
本発明の素材管理・受け渡し用プログラムは、上記の素材管理・受け渡し方法を、ノンリニアサーバシステムに含まれるいずれかの機器として使用される計算機に実行させるためのプログラムである。なお、本発明の素材管理・受け渡し用プログラムは、記憶装置や記憶媒体に格納することが可能である。
【発明の効果】
【００１６】
編集機、素材サーバ、送出サーバが共通のＳＡＮ共有ディスクを使用でき、ＳＡＮ共有ディスク内のファイル移動で素材の受け渡しができるため、編集した素材を高速に送出サーバに渡すことができる。
【図面の簡単な説明】
【００１７】
【図１】本発明のノンリニアサーバシステムの全体構成を示す概要図である。
【図２】本発明のノンリニアサーバシステムの装置構成を示すブロック図である。
【図３】本発明に係る素材管理システムについて説明するための図である。
【図４】本発明の実施例を説明するための図である。
【発明を実施するための形態】
【００１８】
以下に、本発明の実施形態について添付図面を参照して説明する。
【００１９】
＜全体構成＞
図１を参照すると、本発明のノンリニアサーバシステムは、ノンリニア編集機１０と、送出サーバ２０と、素材サーバ３０と、ＤＢ（Ｄａｔａｂａｓｅ）サーバ４０と、ＡＰ（Ａｐｐｌｉｃａｔｉｏｎ）サーバ５０と、素材管理ＰＣ（パソコン）６０と、ＳＡＮ共有ディスク（ｓｈａｒｅｄ  ｄｉｓｋ）７０を備える。
【００２０】
ノンリニア編集機１０は、素材の編集用サーバである。送出サーバ２０は、素材の外部送出用サーバである。素材サーバ３０は、素材の保存用サーバであり、ＳＡＮ共有ディスク７０の管理用サーバである。ＤＢサーバ４０は、ＳＡＮ共有ディスク７０内のフォルダやファイルに関する情報の格納用サーバである。ＡＰサーバ５０は、他のサーバの制御用サーバである。素材管理ＰＣ６０は、後述する（図３に示す）素材管理システムを実行するＰＣである。ＳＡＮ共有ディスク７０は、ＳＡＮの共有ディスクであり、素材の格納用ディスクである。
【００２１】
なお、ノンリニア編集機１０、送出サーバ２０、素材サーバ３０、ＤＢサーバ４０、ＡＰサーバ５０、及び素材管理ＰＣ６０は、それぞれ複数でも良い。
【００２２】
ノンリニア編集機１０と、送出サーバ２０と、素材サーバ３０と、ＳＡＮ共有ディスク７０は、ＳＡＮ（Ｓｔｏｒａｇｅ  Ａｒｅａ  Ｎｅｔｗｏｒｋ）１００を構築する。これにより、ノンリニア編集機１０と、送出サーバ２０と、素材サーバ３０は、ＳＡＮ共有ディスク７０を共有して参照でき、ローカルディスクと同じように操作できる。
【００２３】
すなわち、ＳＡＮ共有ディスク７０は、ノンリニア編集機１０、送出サーバ２０、及び素材サーバ３０にＳＡＮ１００を介して接続されたネットワークドライブ（ｎｅｔｗｏｒｋ  ｄｒｉｖｅ）である。
【００２４】
また、ノンリニア編集機１０と、送出サーバ２０と、素材サーバ３０と、ＤＢサーバ４０と、ＡＰサーバ５０と、素材管理ＰＣ６０は、ＬＡＮ（Ｌｏｃａｌ  Ａｒｅａ  Ｎｅｔｗｏｒｋ）２００で接続されており、データ、コマンドの通信をＬＡＮ経由で行うことができる。なお、ＬＡＮ２００は、ＳＡＮ１００とは異なる通信回線の一例に過ぎない。
【００２５】
ＳＡＮ共有ディスク７０は、編集機素材出力用フォルダ７１と、送出サーバ素材用フォルダ７２を有する。
【００２６】
編集機素材出力用フォルダ７１と、送出サーバ素材用フォルダ７２は、ＳＡＮ共有ディスク７０内に存在するフォルダ名称である。
【００２７】
ここでは、ノンリニア編集機１０、送出サーバ２０、素材サーバ３０、ＤＢサーバ４０、ＡＰサーバ５０、及び素材管理ＰＣ６０の例として、ＰＣ、シンクライアント端末／サーバ、ワークステーション、メインフレーム、スーパーコンピュータ等の計算機を想定している。なお、ノンリニア編集機１０、送出サーバ２０、素材サーバ３０、ＤＢサーバ４０、ＡＰサーバ５０、及び素材管理ＰＣ６０は、計算機上で稼動する仮想マシン（Ｖｉｒｔｕａｌ  Ｍａｃｈｉｎｅ（ＶＭ））環境でも良い。但し、実際には、これらの例に限定されない。
【００２８】
また、ＳＡＮ共有ディスク７０の例として、ノンリニア編集機１０、送出サーバ２０、及び素材サーバ３０のいずれかに搭載され、これらの間でＳＡＮを介して共有されている記憶装置が考えられる。或いは、ノンリニア編集機１０、送出サーバ２０、及び素材サーバ３０とＳＡＮを介して接続されている周辺機器や他のサーバに設置された記憶装置、又は、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）でも良い。但し、実際には、これらの例に限定されない。
【００２９】
＜ＳＡＮについて＞
ＳＡＮとは、外部記憶装置間、及び記憶装置とサーバの間を結ぶ高速なネットワークである。当該ネットワーク内に複数のサーバがある場合は、これらのサーバ間のデータ転送も可能である。ＳＡＮは、高い性能が要求されるサーバに用いられる。ＳＡＮは、複数のサーバが連携して一つの機能を提供する構成や、一つの大容量記憶装置を複数のサーバで共有する構成において、特に有効である。このような構成にＳＡＮを導入することにより、サーバの処理性能が向上し、クライアントとなるＰＣとの通信に使うＬＡＮの負荷を軽減することができる。なお、一般的に、ＬＡＮの主要プロトコルはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）であるが、ＳＡＮでは「ファイバ・チャネル」という全く異なるプロトコルが用いられている。
【００３０】
＜装置構成＞
図２を参照して、本発明のノンリニアサーバシステムにおけるサーバやＰＣの構成について説明する。
【００３１】
ノンリニア編集機１０は、素材編集部１１と、ファイル出力部１２と、素材管理制御部１３を備える。
【００３２】
素材編集部１１は、送出用の素材データを編集する。
【００３３】
ファイル出力部１２は、編集した素材データを特定のフォーマットでファイルとして出力する。
【００３４】
素材管理制御部１３は、後述する（図３に示す）素材管理システムの起動・操作を実施する。
【００３５】
送出サーバ２０は、素材検索部２１と、素材送出部２２を備える。
【００３６】
素材検索部２１は、送出サーバ素材用フォルダ７２内にある素材のうち、外部からのプログラム制御によりファイル名が指定された素材を取り出す。
【００３７】
素材送出部２２は、送出サーバ素材用フォルダ７２内から取り出した素材を、再生ポートからベースバンド（Ｂａｓｅｂａｎｄ）で送出する。
【００３８】
素材サーバ３０は、共有ディスク制御部３１を備える。
【００３９】
共有ディスク制御部３１は、外部からのプログラム制御で、ＳＡＮ共有ディスク７０内にある各フォルダやファイルの操作を実行する。
【００４０】
ＤＢサーバ４０は、素材情報格納部４１を備える。
【００４１】
素材情報格納部４１は、各素材のファイル名、保管場所、その他の情報、例えば素材の総尺、フォーマット、作成日／更新日を格納している。また、素材情報格納部４１は、素材管理システムに登録されたデータの情報も格納している。
【００４２】
素材管理システムに登録されたデータの情報の例としては、素材ＩＤや、素材名称等が考えられる。但し、実際には、これらの例に限定されない。
【００４３】
ＡＰサーバ５０は、ＤＢサーバ制御部５１と、ＰＣ制御部５２と、コマンド送信部５３を備える。
【００４４】
ＤＢサーバ制御部５１は、素材管理ＰＣ６０の上で動作する素材管理システムで行われた操作に合わせて、ＤＢサーバ４０に各データの登録・更新・削除を実行する。
【００４５】
ＰＣ制御部５２は、素材管理ＰＣ６０で参照する画面の各データをＤＢサーバ４０から取得して送信する。
【００４６】
コマンド送信部５３は、送出サーバ２０や素材サーバ３０を制御するプログラムを実行し、送出サーバ２０や素材サーバ３０に対して、各処理コマンドを送信する。
【００４７】
各処理コマンドの一例として、ＳＡＮ共有ディスク７０内の素材を移動してリネーム（名称変更）する「ｍｖコマンド」又は「ｒｅｎ（ｒｅｎａｍｅ）コマンド」等が考えられる。但し、実際には、これらの例に限定されない。
【００４８】
素材管理ＰＣ６０は、素材管理制御部６１と、ＡＰサーバ制御部６２を備える。
【００４９】
素材管理制御部６１は、後述する（図３に示す）素材管理システムのアプリケーションを起動・操作する。
【００５０】
ＡＰサーバ制御部６２は、各操作結果をＡＰサーバ５０に送信し、必要なデータをＡＰサーバ５０に要求する。
【００５１】
例えば、素材編集部１１、ファイル出力部１２、素材管理制御部１３、素材検索部２１、素材送出部２２、共有ディスク制御部３１、素材情報格納部４１、ＤＢサーバ制御部５１、ＰＣ制御部５２、コマンド送信部５３、素材管理制御部６１、及びＡＰサーバ制御部６２は、プログラムで駆動される処理装置等のハードウェアと、そのハードウェアを駆動して所望の処理を実行させるプログラム等のソフトウェアと、そのソフトウェアや各種データを格納する記憶装置によって実現される。
【００５２】
上記の処理装置の例として、ＣＰＵ（Ｃｅｎｔｒａｌ  Ｐｒｏｃｅｓｓｉｎｇ  Ｕｎｉｔ）、マイクロプロセッサ（ｍｉｃｒｏｐｒｏｃｅｓｓｏｒ）、マイクロコントローラ、或いは、同様の機能を有する半導体集積回路（Ｉｎｔｅｇｒａｔｅｄ  Ｃｉｒｃｕｉｔ（ＩＣ））等が考えられる。但し、実際には、これらの例に限定されない。
【００５３】
上記の記憶装置の例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）やＳＤメモリカード（Ｓｅｃｕｒｅ  Ｄｉｇｉｔａｌ  ｍｅｍｏｒｙ  ｃａｒｄ）等のリムーバブルディスクや記憶媒体（メディア）等が考えられる。但し、実際には、これらの例に限定されない。
【００５４】
＜素材管理システム＞
図３を参照して、素材管理システムについて説明する。
素材管理制御部６１は、素材管理システムを起動した場合、日付６１１と、サムネイル表示画面６１２と、素材ＩＤ６１３と、詳細ボタン６１４と、素材名６１５を画面表示する。
【００５５】
以下、素材管理システムにおける処理は、素材管理制御部６１が実行するものとする。
【００５６】
素材管理システムでは、サムネイル表示画面６１２と、素材ＩＤ６１３と、詳細ボタン６１４と、素材名６１５を、素材毎に表示する。なお、実際は、日付６１１も、素材毎に表示するようにしても良い。
【００５７】
素材管理システムでは、各素材登録用の項目の作成・削除、素材の登録が可能である。各素材登録用の項目とは、ニュースやバラエティ等の各番組の中に作成されるイベントを示す。例えば、ニュース番組であれば、「オープニング：素材Ａ」、「事件１：素材Ｂ」、「宣伝：素材Ｃ」、「事件２：素材Ｄ」、「エンディング：素材Ｅ」等のように、各素材がどのタイミング・用途で使用されるか分かるように各項目（イベント）を作成し、その項目毎に、使用する素材を登録する。
【００５８】
なお、図３では、各素材登録用の項目に対する操作の例として、「新規」、「表示」、「削除」、「検索」を示している。「新規」は、素材の新規登録を示す。「表示」は、素材の表示を示す。「削除」は、素材の削除を示す。「検索」は、素材の検索を示す。
【００５９】
素材管理システムでは、画面に表示する素材の種類については、日付６１１で表示期間を指定することができる。
【００６０】
また、素材管理システムでは、ＯＡ用に送出する素材を、素材ＩＤ６１３と呼ばれるユニークキーで管理している。
【００６１】
また、素材管理システムでは、番組のプレイリスト単位での表示も可能であり、送出順にソートすることも可能である。
【００６２】
サムネイル表示画面６１２には、各素材の代表となるサムネイルを表示することができる。なお、サムネイルとは、多数の画像を一覧表示するために縮小された画像のことである。
【００６３】
素材管理システムでは、新規で項目を作成した時のように、素材が送出サーバ２０に渡されていない時は、サムネイル表示画面６１２には何も表示しない。
【００６４】
また、素材管理システムでは、素材を送出サーバ２０に渡したタイミングで、該当素材のサムネイルをサムネイル表示画面６１２に表示する。
【００６５】
素材管理システムでは、素材のメタデータの情報としては、素材名６１５を登録・表示することができる。
【００６６】
また、詳細ボタン６１４を押下することで、使用者ごとに素材の詳細情報として、例えば、素材の総尺、素材を使用する番組のプレイリストといったデータの確認・登録をする詳細画面を別画面で表示することが可能である。
【００６７】
ここでは、詳細ボタン６１４は、詳細画面を表示するための操作ボタンである。なお、詳細ボタン６１４は、リンク表示でも良い。或いは、詳細ボタン６１４は、その表示領域をマウスオーバーした際に詳細画面を別画面で表示するものでも良い。従って、詳細ボタン６１４の例として、メニューやボタン、画像、テキストのリンク等が考えられる。但し、実際には、これらの例に限定されない。
【００６８】
＜実施例＞
次に、図４を参照して、実施例の動作について詳細に説明する。
【００６９】
（１）ステップＳ１０１
まず、編集者は、ノンリニア編集機１０を使用して、ＯＡ用に送出するための素材を編集する。すなわち、ノンリニア編集機１０は、編集者による操作・指示に応じて、素材を編集する。
【００７０】
（２）ステップＳ１０２
ノンリニア編集機１０は、編集完了後、編集した結果を特定のフォーマットで、ＳＡＮ共有ディスク７０内に存在する編集機素材出力用フォルダ７１に出力する。すなわち、ノンリニア編集機１０は、編集完了後の素材を編集機素材出力用フォルダ７１に保存する。
【００７１】
（３）ステップＳ１０３
その後、ノンリニア編集機１０は、ＯＡ用の番組のプレイリストが完成すると、自分のＯＳ上で、図３に示す素材管理システムを起動し、素材管理システム上に、各素材登録用の項目を作成する。
【００７２】
（４）ステップＳ１０４
ノンリニア編集機１０は、編集機素材出力用フォルダ７１に出力した素材の中から、素材管理システムに登録を所望する項目のサムネイル表示画面６１２に、ドラッグ＆ドロップ（ｄｒａｇ  ａｎｄ  ｄｒｏｐ）を行う。ここで、ドラッグ＆ドロップは、マウス操作によってデータやファイルの移動を行う操作を示す。ドラッグ＆ドロップした素材は、素材管理システムから素材サーバ３０に移動する。すなわち、ノンリニア編集機１０は、ドラッグ＆ドロップした素材を、素材サーバ３０に送信する。
【００７３】
（５）ステップＳ１０５
ノンリニア編集機１０は、本操作をトリガー（ｔｒｉｇｇｅｒ）として、ドラッグ＆ドロップした素材のパス、素材のファイル名、素材管理システム上での素材ＩＤを、ＡＰサーバ５０に送信する。
【００７４】
（６）ステップＳ１０６
ＡＰサーバ５０は、素材サーバ３０に対して、素材の移動と当該素材の名称変更を指示するコマンドを送信する。素材サーバ３０は、このコマンドを受信すると、ノンリニア編集機１０からドラッグ＆ドロップされた素材を送出サーバ素材用フォルダ７２に移動し、ドラッグ＆ドロップされた素材の素材ＩＤを基に、当該素材のファイル名をリネームする。
【００７５】
（７）ステップＳ１０７
ＡＰサーバ５０は、素材サーバ３０に対して、ステータス確認のコマンドを一定間隔で送信する。
【００７６】
（８）ステップＳ１０８
ＡＰサーバ５０は、処理が正常に完了したことを確認できたタイミングで、素材サーバ３０に、該当素材のサムネイルと、メタデータを取得する旨のコマンドを送信し、素材サーバ３０から、サムネイルと、メタデータを取得する。
【００７７】
（９）ステップＳ１０９
ＡＰサーバ５０は、取得したサムネイルと、メタデータをＤＢサーバ４０に登録し、素材管理システム上で、サムネイル表示画面６１２に、サムネイルと、詳細ボタン６１４から起動できる詳細画面に必要なメタデータを表示する。すなわち、ＡＰサーバ５０は、素材サーバ３０から取得したサムネイルとメタデータを、ＤＢサーバ４０に保存した後、素材管理システム上のサムネイル表示画面６１２に反映する。
【００７８】
＜本発明の特徴＞
本発明では、ノンリニア編集機、送出サーバ、及び素材サーバで同一のＳＡＮを構築することで、それぞれの機器でローカルディスクと同様に扱えるＳＡＮ内部の共有ディスクを使用・参照できるようにする。
【００７９】
本発明のノンリニアサーバシステムでは、このＳＡＮ共有ディスク内で各機器間の素材受け渡しをできるようにして、高速に素材を受け渡しできることを特徴としている。
【００８０】
また、ＯＡ用の番組のプレイリストが作成される前でも、編集が完了した素材をノンリニア編集機から出力しておき、プレイリストの作成が完了した後から素材管理システムへの登録、送出サーバへの素材受け渡しをできるようにアプリケーションを構築しており、編集に使用できる時間を多く取れる運用方法を提案している。
【００８１】
本発明では、ノンリニア編集機からは、ローカルディスクに出力するのと同じ操作でＳＡＮの共有ディスクに素材を保存することで、擬似的にノンリニア編集機から素材を出力することができ、素材管理システム上での操作で出力した素材を送出サーバにＳＡＮ内部のファイル移動で渡すことを可能としている。
【００８２】
また、本発明では、編集機、素材サーバ、送出サーバが共通のＳＡＮ共有ディスクを使用でき、ＳＡＮ共有ディスク内のファイル移動で素材の受け渡しができるため、編集した素材を高速に送出サーバに渡すことができる。
【００８３】
また、本発明では、出力された素材を素材管理システムとリンクすることができ、ＦＴＰを使用したファイル転送を行う必要がないため、編集が完了した時点で、ＯＡ用の番組のプレイリストの完成を待たずに編集結果を出力することができ、編集時間を長く取ることができる。
【００８４】
以上、本発明の実施形態を詳述してきたが、実際には、上記の実施形態に限られるものではなく、本発明の要旨を逸脱しない範囲の変更があっても本発明に含まれる。
【符号の説明】
【００８５】
１０…  ノンリニア編集機（Ｎｏｎ−ｌｉｎｅａｒ  ｅｄｉｔｉｎｇ  ｆａｃｉｌｉｔｙ）
１１…  素材編集部
１２…  ファイル出力部
１３…  素材管理制御部
２０…  送出サーバ
２１…  素材検索部
２２…  素材送出部
３０…  素材サーバ
３１…  共有ディスク制御部
４０…  ＤＢ（Ｄａｔａｂａｓｅ）サーバ
４１…  素材情報格納部
５０…  ＡＰ（Ａｐｐｌｉｃａｔｉｏｎ）サーバ
５１…  ＤＢサーバ制御部
５２…  ＰＣ制御部
５３…  コマンド送信部
６０…  素材管理ＰＣ
６１…  素材管理制御部
６２…  ＡＰサーバ制御部
７０…  ＳＡＮ共有ディスク（ｓｈａｒｅｄ  ｄｉｓｋ）
７１…  編集機素材出力用フォルダ
７２…  送出サーバ素材用フォルダ
１００…  ＳＡＮ（Ｓｔｏｒａｇｅ  Ａｒｅａ  Ｎｅｔｗｏｒｋ）
２００…  ＬＡＮ（Ｌｏｃａｌ  Ａｒｅａ  Ｎｅｔｗｏｒｋ）
【図１】
0005573218.tif 000002
【図２】
0005573218.tif 000003
【図３】
0005573218.tif 000004
【図４】
0005573218.tif 000005